(57)【要約】【課題】本発明は、屋根や屋上からの垂直排水管の凍結を防止でき、組立や施工を簡単に行うことができる凍結防止用ボックスヒーターを提供すること。【解決手段】凍結防止用ボックスヒーター４は、破線で示す垂直排水管２の直径より大きい開口を有し前記垂直排水管２の下端が嵌挿できる有底容器形状のステンレスボックス７と、該ステンレスボックス７の外周又は底部を加熱するように添設されたヒーター８と、前記ステンレスボックス７の側壁及び底部に添設されたヒーター８を囲むように覆う遮熱シート９と、前記ステンレスボックス７の開口縁を支持すると共に前記遮熱シート９の外側面を蔽う外筐１０と、該外筐１０の底部を塞ぎ、前記外筐１０より大きく形成された台盤１１とから構成される。【選択図】図２
2007297785.tif 000002
【特許請求の範囲】
【請求項１】
垂直排水管の直径より大きい開口を有し前記垂直排水管の下端が嵌挿できる有底容器形状のステンレスボックスと、該ステンレスボックスを加熱するように添設されたヒーターと、前記ステンレスボックスに添設されたヒーターを囲むように覆う遮熱シートと、前記ステンレスボックスの開口縁を支持すると共に前記遮熱シートの外側面全体を蔽う外筐と、該外筐の底部を塞ぎ、前記外筐より大きく形成された台盤とから構成されることを特徴とする凍結防止用ボックスヒーター。
【発明の詳細な説明】
【技術分野】
【０００１】
本発明は、ビル等の建築物のドレン排水を排出する排水設備に関し、特に屋根や屋上からの垂直排水管の凍結を防止する凍結防止用ボックスヒーターに関する。
【背景技術】
【０００２】
従来、屋根や屋上からの雨水を排出する垂直排水管においては、寒冷期に垂直排水管が凍結するのを防止するため、垂直排水管内壁の縦方向に沿って紐状ヒーターを添設した融雪ダクトや垂直排水管に一定電流が流れるヒーターを巻き、その上を外套で被った融雪ダクト等が知られている。
電力自己制御融雪ダクトは、接続ソケットを両端に嵌めた内筒に、自己制御型発熱体を巻き、外套をこれらに被せ、接続ソケットと外套を固定したものである（特許文献１を参照）。
凍結防止耐火ルーフドレインは、発熱体を外側に巻いてこれを中間管の中に入れてさらに繊維補強モルタル管で覆い、上端にはバルブソケットをつけた繊維補強モルタル管に、上部はルーフドレイン、下部は繊維補強モルタル塩化ビニール継手を接続して構成したものである（特許文献２を参照）。
また、本出願人は、一体成型により中央を円環状に膨出させたヒーター収容部を有し、上端内側にはネジ切り部を設けたヒーター筒と、前記ヒーター収容部内の外気側に耐熱断熱材を施し、該耐熱断熱材の内側に螺旋状に巻回して収容した自己温度制御型ヒーターと、該自己温度制御型ヒーターを保持するように前記ヒーター収容部の内側開口を塞ぎ、前記ヒーター筒内に挿入嵌合された閉塞板とからなるドレンパイプヒーターを開発した（特許文献３を参照）。
【特許文献１】実用新案登録第３０４４１２７号
【特許文献２】実用新案登録第３０４９５９８号
【特許文献３】実用新案登録第３０８９０８１号
【発明の開示】
【発明が解決しようとする課題】
【０００３】
本発明は、屋根や屋上からの垂直排水管の凍結を防止でき、組立や施工を簡単に行うことができる凍結防止用ボックスヒーターを提供することを目的とする。
【課題を解決するための手段】
【０００４】
本発明の凍結防止用ボックスヒーターは、垂直排水管の直径より大きい開口を有し前記垂直排水管の下端が嵌挿できる有底容器形状のステンレスボックスと、該ステンレスボックスを加熱するように添設されたヒーターと、前記ステンレスボックスに添設されたヒーターを囲むように覆う遮熱シートと、前記ステンレスボックスの開口縁を支持すると共に前記遮熱シートの外側面全体を蔽う外筐と、該外筐の底部を塞ぎ、前記外筐より大きく形成された台盤とから構成されるものである。
【発明の効果】
【０００５】
本発明の凍結防止用ボックスヒーターは、垂直排水管の下端開口を温水により塞ぎ、外気が前記垂直排水管２内に流入することがないので、前記垂直排水管の内部が外気と同温度、例えば−１０℃となることはないので、前記垂直排水管を流れる融雪水が凍結することはない。
また、本発明の凍結防止用ボックスヒーターは、温水により温められた垂直排水管内部の空気が垂直排水管内部を上昇するので、前記垂直排水管を流れる融雪水が凍結することはない。
【発明を実施するための最良の形態】
【０００６】
本発明の凍結防止用ボックスヒーターの一実施例を添付図面に基づいて、以下に説明する。
図１の概略断面図に示すように、屋根や屋上に降った雨水は、建物１の外壁に沿って垂直排水管２を介して地面に垂れ流しされるが、寒冷期には融雪水が氷結して垂直排水管２等を閉塞し、場合によっては垂直排水管２等が破損する。
なお、３は排水溝である。
そこで、寒冷期には前記垂直排水管２の下端に凍結防止用ボックスヒーター４を嵌挿設置するものである。
前記凍結防止用ボックスヒーター４には、建物１の外壁に設けた屋外ソケット５からキャプタイヤコード６を介して電源が供給される。
【０００７】
次に、本発明の凍結防止用ボックスヒーターの詳細構造について、図２の断面図に基づいて以下に説明する。
図２に示すように、前記凍結防止用ボックスヒーター４は、破線で示す垂直排水管２の直径より大きい開口を有し前記垂直排水管２の下端が嵌挿できる有底容器形状のステンレスボックス７と、該ステンレスボックス７の外周又は底部を加熱するように添設されたヒーター８と、前記ステンレスボックス７の側壁及び底部に添設されたヒーター８を囲むように覆う遮熱シート９と、前記ステンレスボックス７の開口縁を支持すると共に前記遮熱シート９の外側面を蔽う外筐１０と、該外筐１０の底部を塞ぎ、前記外筐１０より大きく形成された台盤１１とから構成される。
前記ステンレスボックス７は、ステンレス製の円筒状又は多角筒状の有底容器に形成される。
前記ヒーター８は、自己温度制御型ヒーターにより螺旋状又は蛇行状に前記ステンレスボックス７の側壁又は底部に配線され、キャプタイヤコード６を介して屋外ソケット５に接続される。
前記遮熱シート９は、耐熱製繊維シートから有底袋状に形成され、外気からの断熱効果を有する。
前記外筐１０は、前記ステンレスボックス７と略同形状に形成され、適度の剛性を持つ材料、例えば金属製やプラスチック製材料から形成される。
前記台盤１１は、凍結防止用ボックスヒーター４が転倒しないように適度の厚さ及び重さを有し、円形又は矩形状の平板に形成される。
【０００８】
次いで、本発明の凍結防止用ボックスヒーターの使用操作を図面に基づいて、以下に説明する。
図１に示すように、寒冷期には、前記垂直排水管２の下端に凍結防止用ボックスヒーター４を嵌挿設置し、前記凍結防止用ボックスヒーター４のヒーター８には建物１の外壁に設けた屋外ソケット５からキャプタイヤコード６を介して電源を供給する。
前記ステンレスボックス７の容器内部には温水を満たし、外気温度の変化に拘らず常に水温約５℃となるように前記ヒーター８により自己温度調節が保たれる。
したがって、建物１の垂直排水管２の下端開口は、前記ステンレスボックス７の温水中に浸入され、前記垂直排水管２を流下してきた融雪水は前記ステンレスボックス７に溜まり、溢れた水は前記ステンレスボックス７の開口縁から地面へ流れ落ち、一部は排水溝３へ排水される。
このように、前記垂直排水管２の下端開口が温水により塞がれ、外気が前記垂直排水管２内に流入することがないので、前記垂直排水管２の内部が外気と同温度、例えば−１０℃となることはないので、前記垂直排水管２を流れる融雪水が凍結することはない。
また、温水により温められた垂直排水管２内部の空気は垂直排水管２内部を上昇するので、前記垂直排水管２を流れる融雪水が凍結することはない。
【図面の簡単な説明】
【０００９】
【図１】本発明の凍結防止用ボックスヒーターの概略断面図である。
【図２】本発明の凍結防止用ボックスヒーターの断面図である。
【符号の説明】
【００１０】
１  建物
２  垂直排水管
３  排水溝
４  凍結防止用ボックスヒーター
５  屋外ソケット
６  キャプタイヤコード
７  ステンレスボックス
８  遮熱シート
９  ヒーター
１０  外筐
１１  台盤
【図１】
2007297785.tif 000003
【図２】
2007297785.tif 000004
【手続補正書】
【提出日】平成18年4月28日(2006.4.28)
【手続補正１】
【補正対象書類名】図面
【補正対象項目名】図２
【補正方法】変更
【補正の内容】
【図２】
2007297785.tif 000005